【手続補正書】
【提出日】平成28年2月16日(2016.2.16)
【手続補正１】
【補正対象書類名】特許請求の範囲
【補正対象項目名】全文
【補正方法】変更
【補正の内容】
【特許請求の範囲】
【請求項１】
基地局において実施されるユーザプレーン輻輳を軽減する方法において、
前記基地局において、サービス品質（ＱｏＳ）クラスインジケータ（ＱＣＩ）に基づいて形成されたベアラ内における様々な差別化されたトラフィックサブクラスを処理するためのポリシーをインストールするステップと、
前記ベアラ内における前記様々な差別化されたトラフィックサブクラスの特定のトラフィックサブクラスに関連付けられたインターネットプロトコル（ＩＰ）パケットを含む汎用パケット無線システム（ＧＰＲＳ）トンネリングプロトコル（ＧＴＰ）パケットを受信するステップと、
前記ＧＴＰパケットのヘッダから、前記ＩＰパケットを取り扱うための前記ポリシーの特定のポリシーを示しているインジケータを取得するステップと
前記受信されたＧＴＰパケットに前記特定のポリシーを適用するステップと
を備えることを特徴とする方法。
【請求項２】
ポリシーおよび課金規則機能（ＰＣＲＦ）およびアクセスネットワーク発見および選択機能（ＡＮＤＳＦ）のいずれかから、前記ポリシーを受信するステップ  
をさらに備えることを特徴とする請求項１に記載の方法。
【請求項３】
前記インジケータは、ユーザプレーン輻輳に応答して、前記ＧＴＰパケットのヘッダの中に含まれることを特徴とする請求項１に記載の方法。
【請求項４】
前記ポリシーは、１つ以上のＱｏＳ実施ポリシーを含むことを特徴とする請求項１に記載の方法。
【請求項５】
前記１つ以上のＱｏＳ実施ポリシーは、様々なトラフィックシェーピング規則を規定することを特徴とする請求項４に記載の方法。
【請求項６】
前記受信されたＧＴＰパケットに前記特定のポリシーを適用する前記ステップは、
（１）前記インジケータが、前記特定のトラフィックサブクラスが前記様々な差別化されたトラフィックサブクラスのもう１つに従属することを規定している前記特定のポリシーを示している条件で、前記ＩＰパケットのスケジューリングを遅延させることと、
（２）前記インジケータが、前記特定のトラフィックサブクラスが前記様々な差別化されたトラフィックサブクラスのもう１つに従属することを規定している前記特定のポリシーを示している条件で、前記ＧＴＰパケットおよび前記ＩＰパケットのいずれかを落とすことと、
（３）前記インジケータが、前記特定のトラフィックサブクラスが他のトラフィックサブクラスに従属していないことを規定している前記特定のポリシーを示している条件で、前記様々な差別化されたトラフィックサブクラスのもう１つに関連付けられた他のトラフィックの前の前記ＩＰパケットをスケジューリングすることと、
（４）前記インジケータが、前記特定のトラフィックサブクラスが前記様々な差別化されたトラフィックサブクラスのもう１つに従属していることを規定している前記特定のポリシーを示している条件で、前記ＩＰパケット以外の前記特定のトラフィックサブクラスに関連付けられたトラフィックをキューから取り出すキュー管理を実施することと、
（５）前記インジケータが、前記特定のトラフィックサブクラスが前記様々な差別化されたトラフィックサブクラスのもう１つに従属していないことを規定している前記特定のポリシーを示している条件で、前記ＩＰパケットをキューに加えるキュー管理を実施することと、
（６）前記インジケータが、他のトラフィックサブクラスが前記特定のトラフィックサブクラスに従属することを規定している前記特定のポリシーを示している条件で、前記様々な差別化されたトラフィックサブクラスのもう１つに関連付けられたトラフィックをキューから取り出すキュー管理を実施することと、
（７）前記インジケータが、前記特定のトラフィックサブクラスが前記様々な差別化されたトラフィックサブクラスのもう１つに従属していることを規定している前記特定のポリシーを示している条件で、前記ＩＰパケットをキューに加えるキュー管理を実施することと
を含むことを特徴とする請求項１に記載の方法。
【請求項７】
前記受信されたＧＴＰパケットに前記特定のポリシーを適用する前記ステップは、
ユーザプレーン輻輳に応答して、前記受信されたＧＴＰパケットに前記特定のポリシー適用することを含むことを特徴とする請求項１に記載の方法。
【請求項８】
ユーザプレーン輻輳を検出するステップ
をさらに備えることを特徴とする請求項１に記載の方法。
【請求項９】
ユーザプレーン輻輳の表示を受信するステップ
をさらに備えることを特徴とする請求項１に記載の方法。
【請求項１０】
前記受信されたＧＴＰパケットに前記特定のポリシーを適用する前記ステップは、
前記ユーザプレーン輻輳の前記表示に応答して、前記受信されたＧＴＰパケットに前記特定のポリシーを適用することを含むことを特徴とする請求項９に記載の方法。
【請求項１１】
前記ＩＰパケットは、単一のアプリケーションからのＩＰトラフィックの一部であり、前記ＩＰトラフィックは前記特定のトラフィックサブクラスおよび前記様々な差別化されたトラフィックサブクラスのもう１つに差別化されていることを特徴とする請求項１に記載の方法。
【請求項１２】
前記ＩＰトラフィックは、第１のフローおよび第２のフローを含み、前記第１のフローは前記特定のトラフィックサブクラスに差別化されており、前記第２のフローは他のトラフィックサブクラスへ差別化されていることを特徴とする請求項１１に記載の方法。
【請求項１３】
サービス品質（ＱｏＳ）クラスインジケータ（ＱＣＩ）に基づいて形成されたベアラ内における様々な差別化されたトラフィックサブクラスを処理するためのポリシーをインストールし、
前記ベアラ内における前記様々な差別化されたトラフィックサブクラスの特定のトラフィックサブクラスに関連付けられたインターネットプロトコル（ＩＰ）パケットを含む汎用パケット無線システム（ＧＰＲＳ）トンネリングプロトコル（ＧＴＰ）パケットを受信し、
前記ＧＴＰパケットのヘッダから、前記ＩＰパケットを取り扱うための前記ポリシーの特定のポリシーを示しているインジケータを取得し、
前記受信されたＧＴＰパケットに前記特定のポリシーを適用するよう構成されたプロセッサ
を備えたことを特徴とする基地局。
【請求項１４】
前記プロセッサは、ポリシーおよび課金規則機能（ＰＣＲＦ）およびアクセスネットワーク発見および選択機能（ＡＮＤＳＦ）のいずれかから、前記ポリシーを受信するよう構成されたことを特徴とする請求項１３に記載の基地局。
【請求項１５】
前記インジケータは、ユーザプレーン輻輳に応答して、前記ＧＴＰパケットのヘッダの中に含まれることを特徴とする請求項１３に記載の基地局。
【請求項１６】
前記ポリシーは、１つ以上のＱｏＳ実施ポリシーを含むことを特徴とする請求項１３に記載の基地局。
【請求項１７】
前記１つ以上のＱｏＳ実施ポリシーは、様々なトラフィックシェーピング規則を規定することを特徴とする請求項１６に記載の基地局。
【請求項１８】
前記プロセッサが、前記受信されたＧＴＰパケットに前記特定のポリシーを適用するよう構成されていることは、
（１）前記プロセッサが、前記インジケータは、前記特定のトラフィックサブクラスが前記様々な差別化されたトラフィックサブクラスのもう１つに従属することを規定している前記特定のポリシーを示している条件で、前記ＩＰパケットのスケジューリングを遅延させるよう構成されていること、
（２）前前記プロセッサが、前記インジケータは、前記特定のトラフィックサブクラスが前記様々な差別化されたトラフィックサブクラスのもう１つに従属することを規定している前記特定のポリシーを示している条件で、前記ＧＴＰパケットおよび前記ＩＰパケットのいずれかを落とすよう構成されていること、
（３）前前記プロセッサが、前記インジケータは、前記特定のトラフィックサブクラスが他のトラフィックサブクラスに従属していないことを規定している前記特定のポリシーを示している条件で、前記様々な差別化されたトラフィックサブクラスのもう１つに関連付けられた他のトラフィックより前の前記ＩＰパケットをスケジューリングするよう構成されていること、
（４）前前記プロセッサが、前記インジケータは、前記特定のトラフィックサブクラスが前記様々な差別化されたトラフィックサブクラスのもう１つに従属していることを規定している前記特定のポリシーを示している条件で、前記ＩＰパケット以外の前記特定のトラフィックサブクラスに関連付けられたトラフィックをキューから取り出すキュー管理を実施するよう構成されていること、
（５）前前記プロセッサが、前記インジケータは、前記特定のトラフィックサブクラスが前記様々な差別化されたトラフィックサブクラスのもう１つに従属していないことを規定している前記特定のポリシーを示している条件で、前記ＩＰパケットをキューに加えるキュー管理を実施するよう構成されていること、
（６）前前記プロセッサが、前記インジケータは、他のトラフィックサブクラスが前記特定のトラフィックサブクラスに従属することを規定している前記特定のポリシーを示している条件で、前記様々な差別化されたトラフィックサブクラスのもう１つに関連付けられたトラフィックをキューから取り出すキュー管理を実施するよう構成されていること、
（７）前前記プロセッサが、前記インジケータは、前記特定のトラフィックサブクラスが前記様々な差別化されたトラフィックサブクラスのもう１つに従属していることを規定している前記特定のポリシーを示している条件で、前記ＩＰパケットをキューに加えるキュー管理を実施するよう構成されていること
のいずれかを含むことを特徴とする請求項１３に記載の基地局。
【請求項１９】
前記プロセッサは、ユーザプレーン輻輳に応答して、前記受信されたＧＴＰパケットに前記特定のポリシー適用するよう構成されていることを特徴とする請求項１３に記載の基地局。
【請求項２０】
前記プロセッサは、ユーザプレーン輻輳の表示を受信するよう構成されていることを特徴とする請求項１３に記載の基地局。
【請求項２１】
前記プロセッサは、前記ユーザプレーン輻輳の前記表示に応答して、前記受信されたＧＴＰパケットに前記特定のポリシーを適用するよう構成されていることを特徴とする請求項２０に記載の基地局。
【請求項２２】
前記プロセッサは、ユーザプレーン輻輳を検出するよう構成されていることを特徴とする請求項１３に記載の基地局。
【請求項２３】
前記ＩＰパケットは、単一のアプリケーションからのＩＰトラフィックの一部であり、前記ＩＰトラフィックは前記特定のトラフィックサブクラスおよび前記様々な差別化されたトラフィックサブクラスのもう１つに差別化されていることを特徴とする請求項１３に記載の基地局。
【請求項２４】
前記ＩＰトラフィックは、第１のフローおよび第２のフローを含み、前記第１のフローは前記特定のトラフィックサブクラスに差別化されており、前記第２のフローは他のトラフィックサブクラスへ差別化されていることを特徴とする請求項２３に記載の基地局。
【請求項２５】
前記ユーザプレーン輻輳の前記表示は、無線媒体を経由して前記基地局によって受信されること特徴とする請求項２０に記載の基地局。
【請求項２６】
前記プロセッサは、前記ユーザプレーン輻輳に応答して、前記受信されたＧＴＰパケットに前記特定のポリシー適用するよう構成されていることを特徴とする請求項１９に記載の基地局。
【請求項２７】
前記ユーザプレーン輻輳の前記表示は、無線媒体を経由して前記基地局によって受信されること特徴とする請求項９に記載の方法。
【請求項２８】
前記受信されたＧＴＰパケットに前記特定のポリシーを適用する前記ステップは、
前記ユーザプレーン輻輳に応答して、前記受信されたＧＴＰパケットに前記特定のポリシー適用することを含むことを特徴とする請求項８に記載の方法。